【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
患者の眼の眼組織に光線療法を送達する自立型装置であって、前記装置は、
内部を含むハウジングと、
アイピース又はアイボックスであって、ハウジング上に配設され、アイピース又はアイボックスに隣接する患者の眼の配置のために構成かつ配置される、アイピース又はアイボックスと、
第１の治療用波長を有する第１の光線を生成し、前記ハウジング内に配設される第１の光源と、
第２の治療用波長を有する第２の光線を生成し、前記ハウジング内に配設される第２の光源であって、前記第２の治療用波長が少なくとも２５ｎｍだけ前記第１の治療用波長とは異なる、第２の光源と、
前記ハウジング内に配設される開口部と、を含み、前記装置が、前記開口部及び前記アイピースを通るように前記第１及び前記第２の光線を方向付けて、前記患者の眼に光線療法を提供するように構成かつ配置されている、装置。
【請求項２】
第３の治療用波長を有する第３の光線を生成し、前記ハウジング内に配設される第３の光源を更に含み、前記第３の治療用波長が少なくとも２５ｎｍだけ前記第１及び前記第２の治療用波長とは異なる、請求項１に記載の装置。
【請求項３】
前記第１の光源が、時間的パルス幅を有する複数のパルスを含むパルス光線を発するように構成かつ配置されており、前記時間的パルス幅が０．１ミリ秒〜１５０秒の範囲である、請求項１又は２に記載の装置。
【請求項４】
前記開口部からの前記第１及び前記第２の光線を受けて、前記第１及び前記第２の光線を前記アイピースに方向付けるための、リレー光学素子を更に含む、請求項１〜３のいずれか一項に記載の装置。
【請求項５】
前記第１及び前記第２の光線の方向を、前記第１及び前記第２の光線が前記アイピースに接する患者の左眼に方向付けされている少なくとも第１の位置から、前記第１及び前記第２の光線が前記アイピースに接する患者の右眼に方向付けされている第２の位置まで、変えるために、少なくとも前記リレー光学素子を動かすように構成かつ配置されるアクチュエータを更に含む、請求項１〜４のいずれか一項に記載の装置。
【請求項６】
前記第１及び前記第２の光線をそれぞれ生成するために前記第１及び前記第２の光源を方向付けるため、前記第１及び前記第２の光源に動作可能に連結されるコントローラを更に含む、請求項１〜５のいずれか一項に記載の装置。
【請求項７】
前記コントローラに動作可能に連結され、前記患者の眼に関するリアルタイムフィードバック情報を提供するように構成される、生物医学的センサーを更に含む、請求項１〜６のいずれか一項に記載の装置。
【請求項８】
前記コントローラが、前記フィードバック情報に従って前記第１及び前記第２の光源からの光の放射を制御するように構成かつ配置されている、請求項７に記載の装置。
【請求項９】
（１）前記第１の波長が８００〜９００ｎｍの範囲であり、前記第２の波長が６００〜７００ｎｍの範囲であるか、又は
（２）前記第１の波長が８００〜９００ｎｍの範囲であり、前記第２の波長が５５０〜６５０ｎｍの範囲である、
請求項１〜８のいずれか一項に記載の装置。
【請求項１０】
患者の眼組織に光線療法を送達する自立型装置であって、前記装置が、
内部を含むハウジングと、
アイピース又はアイボックスであって、ハウジング上に配設され、アイピース又はアイボックスに隣接する患者の眼の配置のために構成かつ配置される、アイピース又はアイボックスと、
第１の治療用波長を有する第１の光線を生成し、前記ハウジング内に配設される第１の光源と、
第２の治療用波長を有する第２の光線を生成し、前記ハウジング内に配設される第２の光源であって、前記第２の治療用波長が少なくとも２５ｎｍだけ前記第１の治療用波長とは異なる、第２の光源と、
前記ハウジング内に配設され、前記第１の治療用波長を有する光を実質的に通過させるように構成かつ配置され、前記第２の治療用波長を有する光を実質的に反射するように構成かつ配置される、反射フィルターと、を含み、前記装置が前記第１及び前記第２の光線を前記反射フィルターに向け、次に前記アイピースを通過するように方向付けて、前記患者の眼に光線療法を提供するように構成かつ配置されている、装置。
【請求項１１】
前記第１及び前記第２の光線をそれぞれ生成するために前記第１及び前記第２の光源を方向付けるため、前記第１及び前記第２の光源に動作可能に連結されるコントローラを更に含む、請求項１０に記載の装置。
【請求項１２】
前記コントローラに動作可能に連結され、前記患者の眼に関するリアルタイムフィードバック情報を提供するように構成される、生物医学的センサーを更に含む、請求項１０又は１１に記載の装置。
【請求項１３】
（１）前記第１の波長が８００〜９００ｎｍの範囲であり、前記第２の波長が６００〜７００ｎｍの範囲であるか、又は
（２）前記第１の波長が８００〜９００ｎｍの範囲であり、前記第２の波長が５５０〜６５０ｎｍの範囲である、
請求項１０〜１２のいずれか一項に記載の装置。
【請求項１４】
患者の眼の眼組織に光線療法を送達する装着型装置であって、前記装置が、
前側片及び前記前側片に取り付けられた少なくとも１つの付加要素を含む、フレームと、
第１の治療用波長を有する第１の光線を生成し、前記フレーム内に又はその上に配設される、少なくとも１つの第１の光源と、
第２の治療用波長を有する第２の光線を生成し、前記フレーム内に又はその上に配設される第２の光源であって、前記第２の治療用波長が少なくとも２５ｎｍだけ前記第１の治療用波長とは異なる、少なくとも１つの第２の光源と、を含み、
前記患者が前記装着型装置を装着するとき、少なくとも一部の前記第１及び前記第２の光線は前記患者の眼に向かって方向付けされている、装置。
【請求項１５】
第３の治療用波長を有する第３の光線を生成し、前記フレーム内に又はその上に配設される第３の光源であって、前記第３の治療用波長が少なくとも２５ｎｍだけ前記第１及び前記第２の治療用波長とは異なる、少なくとも１つの第３の光源を更に含む、請求項１４に記載の装置。
【請求項１６】
前記第１の波長が８００〜９００ｎｍの範囲であり、前記第２の波長が６００〜７００ｎｍの範囲であるか；
前記第１の波長が８００〜９００ｎｍの範囲であり、前記第２の波長が５５０〜６５０ｎｍの範囲であるか；又は
前記第１の波長が８００〜９００ｎｍの範囲であり、前記第２の波長が６００〜７００ｎｍの範囲であり、前記第３の波長が５５０〜６５０ｎｍの範囲である、
請求項１４又は１５に記載の装置。
【請求項１７】
前記第１及び前記第２の光源が前記フレームの前記前側片上の１つ以上のアレイに配設されている、請求項１４〜１６のいずれか一項に記載の装置。
【請求項１８】
前記フレームが前記前側片の２つの視覚ポートを更に画定し、前記第１及び前記第２の光源が２つの前記視覚ポート周辺に配設されている、請求項１４〜１７のいずれか一項に記載の装置。
【請求項１９】
前記少なくとも１つの付加要素が２つのイヤピースを含み、前記フレームが前記前側片上に配設される少なくとも１つの反射器を更に含み、前記第１及び前記第２の光源が前記イヤピース上に配設され、前記反射器に向かって光を方向付けるように構成かつ配置されており、前記患者が前記装置を装着するとき、前記反射器が、前記患者の眼に向かって前記第１及び前記第２の光源から少なくとも一部の光をリダイレクトするように構成かつ配置されている、請求項１４〜１８のいずれか一項に記載の装置。
【請求項２０】
前記反射器が部分的に透明である、請求項１９に記載の装置。
【請求項２１】
前記装置が、
前記フレーム内に配設され、前記第１及び前記第２の光源から光を受光し、前記光線を変調して、変調光線を生成するように位置決めされた空間光変調器と、
前記患者が前記装置を装着するとき、前記変調光線を受光して少なくとも一部の前記変調光線を前記患者の眼に向かって方向付ける、光指向要素と、
を更に含む、請求項１４〜２０のいずれか一項に記載の装置。
【請求項２２】
患者の眼の眼組織に光線療法を送達する装着型装置であって、前記装置が、
前側片及び前記前側片に取り付けられた少なくとも１つの付加要素を含む、フレームと、
治療用波長を有する光線を生成し、前記フレーム内に配設される少なくとも１つの光源と、
前記フレーム内に配設され、前記光線を受光し、前記光線を変調して変調光線を生成するように位置決めされた、空間光変調器と、
前記患者が前記装置を装着するとき、前記変調光線を受光して少なくとも一部の前記変調光線を前記患者の眼に向かって方向付ける、光指向要素と、
を含む、装置。
【請求項２３】
前記光指向要素がプリズム又は導波管である、請求項２２に記載の装置。
【請求項２４】
前記空間光変調器が、画像を形成するために前記光線を変調するように構成かつ配置されている、請求項２２又は２３に記載の装置。
【請求項２５】
前記少なくとも１つの前記光源が、
第１の治療用波長を有する第１の光線を生成し、前記フレーム内に配設される、少なくとも１つの第１の光源と、
第２の治療用波長を有する第２の光線を生成し、前記フレーム内に配設される第２の光源であって、前記第２の治療用波長が少なくとも２５ｎｍだけ前記第１の治療用波長とは異なる、少なくとも１つの第２の光源と、
を含む、請求項２２〜２４のいずれか一項に記載の装置。
【請求項２６】
前記少なくとも１つの光源が、
第３の治療用波長を有する第３の光線を生成し、前記フレーム内に配設される第３の光源であって、前記第３の治療用波長が少なくとも２５ｎｍだけ前記第１及び前記第２の治療用波長とは異なる、少なくとも１つの第３の光源を更に含む、請求項２５に記載の装置。
【請求項２７】
標的細胞若しくは組織の１つ以上の機能を改善する又は回復するための多重波長光線療法システムであって、前記システムが、
標的細胞又は組織に光を送達するために構成されている２つ以上の光源を備え、前記２つ以上の光源からの光が異なる波長ピークを示し、前記２つ以上光源からの光が、前記標的細胞又は組織の２つ以上の感光性分子の活性を優先的に刺激することができ、前記標的細胞又は組織内の前記２つ以上の感光性分子の活性の調整刺激が、前記標的細胞又は組織の１つ以上の細胞機能を改善できる又は回復できる、システム。
【請求項２８】
細胞又は組織のシトクロムｃオキシダーゼ（ＣＣＯ）活性を刺激する多重波長光線療法システムであって、前記システムが、
ＣＣＯ並びにＣＣＯ活性に両方とも必要な第１の感光性因子及び第２の感光性因子を有する、標的細胞又は組織への光の調整かつ標的化した送達のために構成されている、第１の光源及び第２の光源を、備え、
前記第１の光源からの光が、前記第１の感光性因子の活性を優先的に刺激することができる第１の波長ピークを示し、前記第２の光源からの光が、前記第２の感光性因子の活性を優先的に刺激することができる第２の波長ピークを示し、
前記第１及び前記第２の光源からの前記光の調整かつ標的化した送達による前記第１及び前記第２の感光性因子の活性の調整刺激が、前記標的細胞又は前記組織の前記ＣＣＯの活性を刺激できる、システム。
【請求項２９】
前記ＣＣＯ活性の刺激が、障害若しくは疾患と関連付けられる標的細胞若しくは組織の機能を改善する又は回復して、それによって前記障害若しくは疾患の進行を遅くする又は逆転させることができる、請求項２８に記載の多重波長光線療法システム。
【請求項３０】
１つ以上の細胞機能の消失若しくは減少と関連付けられる障害又は疾患を罹患した患者の治療のための、多重波長光線療法システムであって、前記システムが、
前記患者の標的細胞又は組織に光の調整かつ標的化した送達のために構成された、２つ以上の光源を備え、
前記２つ以上の光源のそれぞれからの光が異なる波長ピークを示し、
前記２つ以上の光源から前記標的細胞への光の送達を調整することが、標的細胞機能を回復するか又は強化し、それによって前記障害若しくは疾患の進行を遅くすることができる、システム。
【請求項３１】
消失若しくは減少した機能を示す眼細胞と関連付けられる、眼の障害又は疾患を罹患した患者の治療のための多重波長光線療法システムであって、前記システムが、
眼の障害若しくは疾患を罹患した患者の眼内の標的細胞に、２つ以上の異なる波長ピークを示す光の調整かつ標的化した送達のために構成された２つ以上の光源を備え、
前記２つ以上の異なる波長ピークを示す光の眼細胞への送達を調整かつ標的化することが、前記眼細胞の機能を回復するか又は強化して、それによって前記眼の障害若しくは疾患の進行を遅くすることができる、システム。
【請求項３２】
ヒトの眼の損傷した又は疾患のある眼組織の治療のための多重波長光線療法システムであって、前記システムが、
ａ．第１の波長ピークを示す第１の治療有効光線量の前記眼への送達のために構成されている第１の光源と、
ｂ．第２の波長ピークを示す第２の治療有効光線量の前記眼への送達のために構成されている第２の光源と、を備え、
前記第１及び前記第２の光源が、前記第１及び第２の治療有効光線量の調整かつ標的化した送達のために更に構成されており、それによって、前記損傷した若しくは疾患のある眼組織の進行を逆転させる、修復する、回復させる、又は遅らせる、システム。
【請求項３３】
前記システムが、
（１）前記第１の治療有効な光線量及び前記第２の治療有効な光線量の同時送達のために構成されているか、又は
（２）前記第１の治療有効な光線量及び前記第２の治療有効な光線量の個々の送達のために構成されている、
請求項３２に記載の多重波長光線療法システム。
【請求項３４】
前記光源のそれぞれが、患者の眼内の標的細胞への光の送達のために位置決めされている、請求項２７〜３３のいずれか一項に記載の多重波長光線療法システム。
【請求項３５】
前記光源のうちの１つ以上が、０．１ミリ秒〜１５０秒の時間的パルス幅を有する複数のパルスを含むパルス光線を発するように構成されている、請求項２７〜３４のいずれか一項に記載の多重波長光線療法システム。
【請求項３６】
前記パルス光線のそれぞれがデューティサイクルを有し、前記時間的パルス幅及び前記デューティサイクルが、標的細胞への前記パルス光線の送達において細胞活性を刺激するように構成されることができ、前記刺激された標的細胞活性が、前記標的細胞の残存又は機能を強化することができる、請求項３５に記載の多重波長光線療法システム。
【請求項３７】
前記第１及び前記第２の波長ピークのそれぞれが、急性または慢性の眼の障害又は疾患の治療のために選択される、請求項２７〜３６のいずれか一項に記載の多重波長光線療法システム。
【請求項３８】
（１）前記第１及び前記第２の波長ピークのそれぞれが、独立して５００ｎｍ〜１１００ｎｍから選択されるか、
（２）前記第１の波長ピーク又は前記第２の波長ピークが、５７０ｎｍ〜６００ｎｍであるか、
（３）前記第１の波長ピーク又は前記第２の波長ピークが、６４０ｎｍ〜７００ｎｍであるか、又は
（４）前記第１の波長ピーク又は前記第２の波長ピークが、８１０ｎｍ〜９００ｎｍである、
請求項３７に記載の多重波長光線療法システム。
【請求項３９】
前記システムが、
（１）眼瞼の外面又は眼の角膜面に、１０Ｗ／ｃｍ２以下の照射量か、
（２）前記眼瞼の外面又は前記角膜面に、０．１ｍＷ／ｃｍ２〜１Ｗ／ｃｍ２の照射量か、又は
（３）前記眼瞼の外面又は前記眼の角膜面に、０．５ｍＷ／ｃｍ２〜１０ｍＷ／ｃｍ２の照射量で、
光を送達するために構成されている、請求項３７に記載の多重波長光線療法システム。
【請求項４０】
前記急性又は慢性の眼の障害又は疾患が、緑内障；加齢関連黄斑変性症；糖尿病性網膜症；網膜色素変性症；ＣＲＳ；ＮＡＩＯＮ；レーバー疾患；眼科手術；ブドウ膜炎；眼瞼炎；眼窩周囲のしわ；脂漏症；乾癬を含む眼瞼の皮膚状態；湿疹；露出性角膜炎；ＵＶ角膜炎；ドライアイ；ウイルス感染；細菌感染；角膜剥離；角膜浮腫；外科的切開；貫通傷；上強膜炎；強膜炎；虹彩炎、硝子体炎、細菌性眼内炎、及び無菌性眼内炎からなる群から選択される前房又は硝子体疾患；並びに萎縮型ＡＭＤ、滲出型ＡＭＤ、糖尿病性網膜症、高血圧性網膜症、網膜色素変性症（ＲＰ）、血管又は神経メカニズムを介して機能を妨げるプロセス、緑内障、及び視神経炎からなる群から選択される網膜疾患、からなる群から選択される、請求項３７に記載の多重波長光線療法システム。